(57)【特許請求の範囲】
【請求項１】
撮影レンズと、収納位置から外部に突出する露呈位置へ移動するように付勢されたストロボ発光部と、撮影レンズ及びストロボ発光部を覆う閉じ位置と撮影レンズ及びストロボ発光部を外部に露呈させる開き位置との間でスライド自在とされたスライドカバーとを備えたカメラにおいて、
前記ストロボ発光部が露呈位置にある間は前記スライドカバーの閉じ位置への移動をロックし、ストロボ発光部が収納位置へと移動したときにスライドカバーのロックを解除するとともにストロボ発光部を収納位置で保持し、スライドカバーが閉じ位置へと移動したときにストロボ発光部の保持を解除する係止部材を有することを特徴とするカメラ。
【請求項２】
前記係止部材は回動自在となるようにカメラ本体に取り付けられた係止レバーであって、前記ストロボ発光部が露呈位置にある間は前記スライドカバーに形成された被係止溝に入り込んだ第１の位置で保持され、ストロボ発光部の収納位置への移動に伴って前記第１の位置から回転し、前記被係止溝から離れるとともに前記収納位置に達したストロボ発光部と当接した第２の位置に達し、スライドカバーの移動に伴って前記第２の位置から回転し、ストロボ発光部の移動範囲から退避する第３の位置に到達することを特徴とする請求項１記載のカメラ。
【請求項３】
前記スライドカバーが閉じ位置に達したときに、前記係止レバーが前記第３の位置へと移動することを特徴とする請求項２記載のカメラ。
【請求項４】
前記ストロボ発光部が露呈位置に移動することによってカメラ本体の電源がオンとなり、前記撮影レンズはカメラ本体の電源がオンである間はカメラ本体の前方に繰り出され、電源オフに伴ってカメラ本体の内部に収納されることを特徴とする請求項１ないし３いずれか記載のカメラ。
【発明の詳細な説明】
【０００１】
【発明の属する技術分野】
本発明は、カメラに関し、さらに詳しくは、カメラの小型化に関するものである。
【０００２】
【従来の技術】
近年、携帯性を高めるためにカメラの小型化が進められているが、小型化されたカメラは撮影時に保持しにくく、また、撮影レンズ等の光学部品に指が掛かるという弊害が生ずる。このため、カメラ本体の撮影レンズを覆う閉じ位置と、撮影レンズを外部に露呈する開き位置との間でスライド自在とされたスライドカバーが取り付けられている。このスライドカバーは、撮影時にはカメラ本体を保持するためのグリップとして用いることができ、光学部品への指掛かりの発生を防止するとともに、非撮影時には撮影レンズ等の光学部品を傷や汚れから保護することができる。
【０００３】
また、特開平１１−２１２１５２号公報には、スライドカバーの開き位置へのスライド動作に連動して、ストロボ発光部が収納位置から露呈位置へと移動するとともに、ストロボ発光部の移動に伴ってカメラ本体の電源スイッチのオン／オフを切り替えるようにしたカメラが開示されている。さらに、このカメラでは、ストロボ発光部の移動による電源オンとともに、レンズ鏡胴が繰り出されるようになっている。
【０００４】
【発明が解決しようとする課題】
上記カメラでは、スライドカバーの移動は手動で行われており、電源がオンである時に誤ってスライドカバーを閉めようとすると、スライドカバーがカメラ本体の外部に突出されているレンズ鏡胴やストロボ発光部に衝突し、これらの部品に過度の負荷がかかって、レンズ鏡胴に光軸ずれを生じさせたり、ストロボ発光部の移動機構を損傷させる等の故障が発生する要因となる。
【０００５】
また、上記カメラでは、撮影終了後には、ストロボ発光部は常に露呈位置方向に付勢されているため、撮影終了後には、撮影者自らがストロボ発光部を収納位置に保持しながら、スライドカバーを閉じ位置へと移動させなければならず、撮影者にとって煩わしいものとなっていた。
【０００６】
これらの問題点を解決するためには、スライドカバーの移動をロックする機構、及び、ストロボ発光部を収納位置に保持する機構が必要となる。しかしながら、これらの機構をカメラ本体に設けると、部品点数が増加するため、カメラ本体の大型化を招くことになる。
【０００７】
本発明は上記問題点を考慮してなされたものであり、カメラ本体を小型化したまま、スライドカバー及びストロボ発光部を保持する機構を備えたカメラを提供することを目的とする。
【０００８】
【課題を解決するための手段】
上記目的を達成するために、請求項１記載のカメラは、ストロボ発光部が露呈位置にある間はスライドカバーの閉じ位置への移動をロックし、ストロボ発光部が収納位置に移動したときにスライドカバーのロックを解除するとともにストロボ発光部を収納位置で保持し、スライドカバーが閉じ位置へと移動したときにストロボ発光部の保持を解除する係止部材を有することを特徴とするものである。
【０００９】
請求項２記載のカメラは、係止部材は回動自在となるように取り付けられた係止レバーであって、ストロボ発光部が露呈位置にある間はスライドカバーに形成された被係止溝に入り込んだ第１の位置に保持され、ストロボ発光部の収納位置への移動に伴って第１の位置から回転し、被係止溝から離れるとともに収納位置に達したストロボ発光部と当接した第２の位置に達し、スライドカバーの移動に伴って第２の位置から回転し、ストロボ発光部の移動範囲から退避する第３の位置に到達することを特徴とするものである。
【００１０】
請求項３記載のカメラは、スライドカバーが閉じ位置に達したときに、係止レバーが第３の位置へと移動することを特徴とするものである。
【００１１】
請求項４記載のカメラは、ストロボ発光部が露呈位置に移動することによってカメラ本体の電源がオンとなり、撮影レンズはカメラ本体の電源がオンである間はカメラ本体の前方に繰り出されており、電源オフに伴ってカメラ本体の内部に収納されることを特徴とするものである。
【００１２】
【発明の実施の形態】
図１及び図２は、本発明を実施したカメラ１０の撮影時及び不使用時の状態を示す外観斜視図である。カメラ１０は、各種撮影機構が組み込まれた略矩形形状のカメラ本体１１と、このカメラ本体１１を側方から覆うように取り付けられたスライドカバー１２とからなる。スライドカバー１２は、撮影レンズ等を外部に露呈させる開き位置と、撮影レンズ等を内部に覆う閉じ位置との間でスライド自在とされている。また、スライドカバー１２は、例えばプラスチックや、アルミニウム、チタン等の軽量で強度の高い材料で形成されている。
【００１３】
カメラ１０は、不使用時にカメラ本体１１の大部分がスライドカバー１２内に納められることでコンパクトになり、更に外装部の凹凸が無くなって携帯性が向上する。撮影時には、カメラ本体１１からスライドカバー１２が引き出され、スライドカバー１２がグリップとして用いられる。
【００１４】
カメラ本体１１の前面及び上面には、撮影レンズ１３及び測光用受光窓１４が取り付けられたレンズ鏡胴１５、ストロボ発光部１６、ファインダ１７、測距用投光窓２０ａ及び測距用受光窓２０ｂ、フイルム交換用操作部材２１等が設けられている。レンズ鏡胴１５は、カメラ１０の電源オン時にカメラ本体１１から繰り出され、電源がオフするとカメラ本体１１の内部に沈胴する。
【００１５】
ストロボ発光部１６は、プラスチック等の透明な部品で略箱型状に形成された発光ケース２２と、この発光ケース２２の内部に収納される周知の放電管及びリフレクタから構成される。また、発光ケース２２の外部には、保護部材２３がストロボ発光部１６の側面及び背面を覆うように取り付けられており、ストロボ発光部１６を衝撃などから保護する。
【００１６】
図３は、カメラ本体１１からスライドカバー１２を取り外した状態を表している。カメラ本体１１の背面には、ファインダ窓２４、液晶パネル２５、撮影サイズ切替スイッチ２６、ズームスイッチ２７ａ，２７ｂ等が設けられている。ズームスイッチ２７ａ，２７ｂは、スライドカバー１２が開き位置にスライドされたときに、スライドカバー１２の背面に設けられたズームボタン３０と対面する。撮影者は、ズームボタン３０の上部又は下部を押圧することにより、ズームスイッチ２７ａ，２７ｂを操作することができる。
【００１７】
カメラ本体１１の上面には、半押し時に測光及び測距を行い、全押し時にシャッタレリーズ操作を行うシャッタスイッチ３１が設けられている。このシャッタスイッチ３１は、スライドカバー１１が開き位置にあるときに、スライドカバー１２の上面に設けられたシャッタボタン３２と対面しており、シャッタボタン３２を介して操作される。
【００１８】
カメラ本体１１の底面には、ＩＸ２４０型のフイルムカートリッジを収納するカートリッジ室を開閉するためのカートリッジ室蓋３３と、駆動用の電池を収納する電池室を開閉するための電池室蓋３４とが設けられている。カートリッジ室蓋３１は、スライドカバー１２が開き位置にある場合でも、その一部が常にスライドカバー１２の内部に隠れており、撮影時にカートリッジ室が開放されないようになっている。カートリッジの交換の際には、撮影者がフイルム交換用操作部材２１を移動させるとロックが解除され、スライドカバー１２は開き位置よりもさらに開き方向にスライドされたカートリッジ交換位置に移動する。そして、スライドカバー１２がカートリッジ交換位置にスライドされる際にカートリッジ室蓋が開かれる。
【００１９】
なお、スライドカバー１２の底面には大きな切欠１２ａが形成されている。この切り欠き１２ａは、スライドカバー１２がカートリッジ交換位置にスライドされた際にカートリッジ室蓋３３を完全に露呈させ、カートリッジ室を開放できるようにしている。このため、カメラ本体１１とスライドカバー１２とを分離することなくカートリッジの交換を行うことができる。
【００２０】
スライドカバー１２の背面側内壁には、長方形状のカム板３５が取り付けられている。カム板３５には細長の被係止溝３６が形成され、被係止溝３６の先端部３６ａは溝の幅が広くなっている。このカム板３５の下部には、取り外しロック爪３７がカム板３５と一体に設けられる。この取り外しロック爪３７は、スライドカバー１２がカートリッジ交換位置にあるときに、カメラ本体１１の背部に設けられたロック爪３８と係合し、スライドカバー１２がカメラ本体１１から分離されるのを防止する。また、スライドカバー１２の上面側内壁には、台形状のカム４０がカム板３５と一体に設けられている。このカム４０は、後述するように、ストロボ発光部１６のロックを解除するために設けられている。
【００２１】
図４は、ストロボ発光部１６のまわりの構成を示す分解図である。カメラ本体に固定される支持部材４１には、ストロボ発光部１６等の部品が取り付けられている。ストロボ発光部１６の下部には、開口４２ａ，４２ｂが形成された取付部１６ａが設けられており、この開口４２ａ，４２ｂには回転軸４３が挿入されている。この回転軸４３は、支持部材４１に形成された軸受け穴４４ａ，４４ｂにも挿入されている。このため、図５及び図６に示すように、ストロボ発光部１６は、カメラ本体１１の外部に露呈された露呈位置と、カメラ本体１１の内部に収納された収納位置との間で回動自在に軸支される。
【００２２】
回転軸４２にはトーションバネ４５が取り付けられており、このトーションバネ４５の一端はストロボ発光部１６の取付部１６ａに、他端は支持部材４１に当接している。ストロボ発光部１６は、このトーションバネ４５の付勢によって、常に露呈位置方向に回転しようとする。また、支持部材４１には、電源スイッチ４６が取り付けられている。ストロボ発光部１６が収納位置にあるときは、電源スイッチ４６は取り付け部１６ａによって押し下げられている。ストロボ発光部１６が露呈位置に移動すると、取付部１６ａによる押圧が解除されて電源スイッチ４６がオンとなり、カメラ本体１１に電源を供給する。
【００２３】
ストロボ発光部１６の取付部１６ａの下部には、係止用突起４７が保護部材２３と一体に設けられている。この係止用突起４７は、後述のように、ストロボ発光部１６を収納位置に保持するために用いられる。
【００２４】
支持部材の上部には、ロックレバー４８、係止レバー５０、保持部材５１が取り付けられている。ロックレバー４８は、支持部材４１に設けられた中心軸４１ａによって回動自在となるように取り付けられており、図示しないバネの付勢によって、係止部４８ａが被係止溝３６に入り込んだ状態で保持される。スライドカバー１２が開き位置にあるときは、係止部４８ａが被係止溝３６の先端部３６ａに達しているため、スライドカバー１２のカートリッジ交換位置へのスライドがロックされる。ロックレバー４８は、フイルム交換用操作部材２１のスライド動作によって図中反時計方向に回転し、係止部４８ａが被係止溝３６から退避する。このとき、スライドカバー１２は開き位置からカートリッジ交換位置へと移動することができる。
【００２５】
係止レバー５０は、中心軸４１ａによって回動自在となるようにロックレバー４８の上部に配される。係止レバー５０の一端には、被係止溝３６の先端部３６ａに入り込んでスライドカバー１２をロックするカム部５０ａと、スライドカバー１２のカム４０に当接するピン５０ｂが設けられている。また、係止レバー５０の他端には、ストロボ発光部１６を収納位置に係止するための係止部５０ｃが設けられ、この係止部５０ｃの直下には、略円錐形の回転用突起５０ｄが取り付けられている。さらに、係止レバー５０の中央部付近には、バネ５２の一端を取り付けるためのフック５０ｅが設けられている。バネ５２の他端は、支持部材４１に設けられた突起４１ｂに取り付けられている。このため、係止レバー５０は図中時計方向に付勢されており、支持部材４１に設けられたストッパー４１ｃと当接する第１の位置で保持される。
【００２６】
保持部材５１は、係止レバー５０の上部に配されており、ネジ止めによって支持部材４１に固定される。このため、ロックレバー４８及び係止レバー５０は、保持部材５１と支持部材４１との間に挟まれた状態で保持される。
【００２７】
係止レバー５０の動作について説明する。図５及び図７に示すように、ストロボ発光部１６が露呈位置にあるときには、係止レバー５０はバネ５２の付勢によって第１の位置に保持されている。この第１の位置では、係止レバー５０のカム部５０ａが被係止溝３６の先端部３６ａに入り込んでいるため、スライドカバー１２は開き位置にロックされる。
【００２８】
この状態で、手動操作によりストロボ発光部１６を露呈位置から収納位置へと移動させると、係止用突起４７が係止レバー５０の回転用突起５０ｄと当接し、係止レバー５０はバネ５２の付勢に抗して図中反時計方向に回転する。ストロボ発光部１６が収納位置へと移動したとき、係止用突起４７と回転用突起５０ｄとの係合が解除され、係止レバー５０はバネ５２の付勢によって図中時計方向に回転し、係止用突起４７の移動範囲内に入り込む。そして、図６及び図８に示すように、係止レバー５０は、係止部５０ｃが係止用突起４７の下部へと入り込んだ第２の位置に移動する。その後、ストロボ発光部１６から手を離すと、係止部５０ｃと係止用突起４７とが当接し、ストロボ発光部１６は収納位置に保持される。
【００２９】
係止レバー５０が第１の位置から第２の位置へと移動する間に、係止レバー５０のカム部５０ａが被係止溝３６の先端部３６ａから退避する。このため、スライドカバー１２のロックが解除され、スライドカバー１２は開き位置から閉じ位置へと移動できるようになる。
【００３０】
スライドカバー１２が閉じ位置へと移動すると、スライドカバー１２のカム４０が係止レバー５０のピン５０ｂと当接し、係止レバー５０が図中反時計方向に回転する。そして、図９に示すように、スライドカバー１２が閉じ位置へと達したときに、係止レバー５０の係止部５０ｃは係止用突起４７の回転軌道から外れるため、ストロボ発光部１２はトーションバネ４５の付勢によって露呈位置方向へと回転し、係止用突起４７が係止レバー５０の下部へと入り込む。そして、係止レバー５０は、回転用突起５０ｄが係止用突起４７に当接した第３の位置に保持される。
【００３１】
以下、上記構成による作用について説明する。カメラ１０の不使用時には、スライドカバー１２が閉じ位置にあり、カメラ本体１１の表面の大部分がスライドカバー１２で覆われるため、撮影レンズ１３などの光学部品に塵埃が付着することがなくなる。また、カメラ１０自体がコンパクトとなり、表面の凹凸もなくなるため、携帯性が向上する。
【００３２】
スライドカバー１２が閉じ位置にある状態では、係止レバー５０は第３の位置に保持されており、係止レバー５０とストロボ発光部１６との係合が解除されている。このため、撮影者はスライドカバー１２を開き位置へとスライドすることができる。スライドカバー１２が開き位置に移動して、ストロボ発光部１６が外部に露呈されると、トーションバネ４５の付勢によってストロボ発光部１６が露呈位置へと移動するとともに、電源スイッチ４６の押圧が解除され、カメラ本体の電源がオンされる。電源オンとともに、レンズ鏡胴１５がカメラ前方に繰り出され、撮影準備が完了する。
【００３３】
ストロボ発光部１６が露呈位置へと移動すると、係止レバー５０は、バネ５２の付勢によって、第３の位置から第１の位置へと移動する。そして、係止レバー５０が第１の位置に達すると、係止レバー５０のカム部５０ａが被係止溝３６に入り込み、シャッタカバー１２の閉じ位置方向への移動をロックする。このため、外部に突出しているストロボ発光部１２及びレンズ鏡胴１５がシャッタカバー１２に当たることがなく、シャッタカバー１２の衝突による故障の発生を防止できる。
【００３４】
撮影が終了すると、撮影者は、手動でストロボ発光部１６を露呈位置から収納位置へと移動させる。ストロボ発光部１６の移動により、係止レバー５０が第１の位置から第２の位置へと移動し、係止レバー５０のカム部５０ａが被係止溝３６から離れるため、シャッタカバー１２のロックが解除される。また、ストロボ発光部１６の移動とともに、電源スイッチ４６が押し下げられ、カメラ本体１１の電源がオフされる。
【００３５】
また、係止レバー５０が第２の位置にあるとき、係止レバー５０の係止部５０ｃが係止用突起４７を保持しており、ストロボ発光部１６は収納位置に保持されたままとなる。したがって、撮影者はストロボ発光部１６を収納位置に保持したままスライドカバー１２をスライドさせる必要がなくなるため、操作性の向上を図ることができる。
【００３６】
その後、撮影者はスライドカバー１２を開き位置から閉じ位置へと移動させる。スライドカバー１２が閉じ位置へと達すると、係止レバー５０は第３の位置に移動するため、ストロボ発光部１６は係止レバー５０による係止が解除された状態で保持される。このため、撮影者自らがストロボ発光部１６の係止解除を行う必要がなく、操作の煩雑さを防止することができる。さらに、スライドカバー１２が閉じ位置へと達したときに、係止解除によるクリック感を与える効果も得られる。
【００３７】
このように、ストロボ発光部１６の保持機構及びスライドカバー１２の保持機構が、一つの係止レバー５０の回転動作のみによって行われるため、カメラ本体の大型化を招くことなく操作性の向上を図ることができる。
【００３８】
上記実施形態では、スライドカバー１２が閉じ位置に達したときに係止レバー５０が第３の位置へと移動する例について説明したが、本発明はこれに限らず、スライドカバー１２が開き位置から閉じ位置へと移動するまでの間、あるいは、スライドカバー１２が閉じ位置から開き位置に移動するまでの間に、係止レバー５０を第３の位置に移動させる態様とすることもできる。
【００３９】
上記実施形態では、スライドカバー１２の閉じ位置への移動により、係止レバー５０が移動してストロボ発光部１６のロックを解除する例について説明したが、ストロボ発光部１６のロック解除を手動で行うこともできる。この場合では、スライドカバー１２が開き位置に移動する際に、スライドカバー１２の内面がストロボ発光部１６を摺接することがないため、保護部材２３が摩耗するおそれがなくなる。
【００４０】
上記実施形態では、不使用時にカメラ本体の大部分を覆う箱形状のスライドカバーを用いるカメラを例に説明したが、カメラ本体の前面や背面、若しくは上面のみを開閉するスライドカバーや、前面の一部分のみを開閉するスライドカバーを備えたカメラにも適用できる。
【００４１】
上記実施形態では、ＩＸ２４０タイプのフイルムカートリッジを使用するカメラを例に説明したが、１３５タイプ、ブローニータイプ、インスタントフイルム等を使用するカメラにも適用することができる。
【００４２】
【発明の効果】
以上説明したように、本発明では、ストロボ発光部が露呈位置にあるときはスライドカバーの移動をロックし、ストロボ発光部を収納位置へと移動したときにスライドカバーのロックを解除するとともにストロボ発光部を収納位置にロックし、スライドカバーが閉じ位置へと移動したときにストロボ発光部のロックを解除するようにしたから、撮影中のスライド動作によるカメラの故障を防止できるとともに、カメラの操作性が向上する。
【００４３】
また、ストロボ発光部及びスライドカバーのロックを、一つの係止レバーの回転動作のみによって行うようにしたから、カメラ本体の大型化を招くことなく、操作性を向上することができる。また、スライドカバーが閉じ位置へと達したときにストロボ発光部の係止解除を行うようにしたから、スライドカバーを閉じる際にクリック感を与えることができる。
【図面の簡単な説明】
【図１】撮影時におけるカメラの外観斜視図である。
【図２】未使用時におけるカメラの外観斜視図である。
【図３】カメラの構成を背面側から示す斜視図である。
【図４】カメラのストロボ発光部まわりの構成を示す分解斜視図である。
【図５】ストロボ発光部が露呈位置にある際のカメラ本体の側部断面図である。
【図６】ストロボ発光部が収納位置にある際のカメラ本体の側部断面図である。
【図７】撮影時におけるカメラ本体の上部断面図である。
【図８】電源がオフされた際のカメラ本体の上部断面図である。
【図９】未使用時におけるカメラ本体の上部断面図である。
【符号の説明】
１０  カメラ
１１  カメラ本体
１２  スライドカバー
１５  レンズ鏡胴
１６  ストロボ発光部
３６  被係止溝
４０  カム
５０  係止レバー
【図１】
0003832800.tif 000002
【図２】
0003832800.tif 000003
【図３】
0003832800.tif 000004
【図４】
0003832800.tif 000005
【図５】
0003832800.tif 000006
【図６】
0003832800.tif 000007
【図７】
0003832800.tif 000008
【図８】
0003832800.tif 000009
【図９】
0003832800.tif 000010